(57)【要約】【課題】  複数の画像を同時に表示させる画像合成処理が簡単にできるようにする。【解決手段】  画像メモリ１４に記憶された第１の画像データ１４ａと第２の画像データ１４ｂを１ラインずつ読み出し、同一ライン上の異なる位置に配置させる読み出し手段２２を備えて、その読み出し手段２２により読み出された画像データに基づいて、第１の画像データによる画像と第２の画像データによる画像とを１画面中に並べて表示させるようにした。【選択図】      図４
2005331674.tif 000002
【特許請求の範囲】
【請求項１】
複数の画像データを記憶する画像メモリと、それらを一時記憶させるバッファ記憶装置を持ち、
前記画像メモリに記憶された第１の画像データと第２の画像データを１ラインずつ読み出し、上記バッファの同一ライン上の異なる位置に配置させる読み出し手段と、
前記読み出し手段によりバッファ上に書き込まれた画像データに基づいて、前記第１の画像データによる画像と前記第２の画像データによる画像とをバッファから読み出して1画面中に並べて表示させる表示処理手段とを備えた
画像表示装置。
【請求項２】
請求項１記載の画像表示装置において、
前記読み出し手段はバッファ記憶装置として１つのラインメモリを使用した読み出し手段であり、前記表示処理手段で並べて表示させる配置位置に対応して、前記１つのラインメモリに交互に前記第１の画像データと前記第２の画像データを配置して読み出させる
画像表示装置。
【請求項３】
請求項２記載の画像表示装置において、
前記読み出し手段は、前記表示処理手段で表示用の描画をしない領域についてもバッファ上に配置して出力させる
画像表示装置。
【請求項４】
請求項２記載の画像表示装置において、
前記読み出し手段は、前記第１の画像データと前記第２の画像データの描画される領域だけをバッファ上に続けて配置させる
画像表示装置。
【請求項５】
請求項４記載の画像表示装置において、
前記読み出し手段は、前記第１の画像データと前記第２の画像データを
バッファ上に配置する際、どこからどこまでが第１の画像データで、どこからどこまでが第２の画像データなのかを記憶する手段を有する
画像表示装置。
【請求項６】
請求項４、５記載の画像表示装置において、
前記読み出し手段は、バッファに格納された前記第１の画像データと前記第２の画像データを前記表示処理手段に送るとき、第１の画像データをどの位置から表示させるのか、また、第２の画像データをどの位置から表示させるのかを、前記表示処理手段に送る画像表示装置。
【請求項７】
請求項１記載の画像表示装置において、
前記読み出し手段はバッファ記憶装置として第1のラインメモリと第２のラインメモリを使用した読み出し手段であり、前記第1のラインメモリに前記第１の画像データを配置し、前記第２のラインメモリに前記第２の画像データを配置し、両ラインメモリに配置された画像データをライン単位で交互に読み出して出力させる
画像表示装置。
【請求項８】
請求項７記載の画像表示装置において、
前記読み出し手段は、前記第1のラインメモリから読み出した第１の画像データをライン上に配置する位置、前記第２のラインメモリから読み出した第２の画像データをライン上に配置する位置を指示するデータを前記表示処理手段に送る
画像表示装置。
【請求項９】
請求項１記載の画像表示装置において、
前記読み出し手段が備えるラインメモリへの書き込みを行う際に、
毎クロック新しい画像データを読み出すのではなく、画像データの同じピクセルを少しずつ繰り返しながらラインメモリに書き込むことで、拡大表示を可能とした画像表示装置。
【請求項１０】
請求項１記載の画像表示装置において、
前記読み出し手段が画像データからデータを読み出してバッファ記憶装置に書き込むのに使用するクロック周波数と、前記表示処理手段がバッファ記憶装置からデータを読み出す際に使用するクロック周波数とを異なるものとし、前記読み出し手段が使用するクロック周波数を高くして表示に必要な画像のみを選択してバッファ記憶装置に書き込むことにより、縮小表示を可能とした
画像表示装置。
【請求項１１】
請求項１０記載の画像表示装置において、
バッファ記憶装置からデータを読み込むクロック周波数を下げることにより、拡大表示を可能とした
画像表示装置。
【請求項１２】
請求項１〜１１のいずれか１項に記載の画像表示装置において、
前記バッファ記憶装置として、FIFOを用いた
画像表示装置。
【発明の詳細な説明】
【技術分野】
【０００１】
本発明は、テレビジョン受像機などの画像表示装置に関し、特に、１つの画面内に複数の画像を同時に表示させる画像表示装置に関する。
【背景技術】
【０００２】
デジタルテレビジョン放送を受信して得た画像データや、ＤＶＤ（Digital Video Disc又はDigital Versatile Disc）等の記録媒体から再生して得た画像データは、デジタル信号として取り出され、デコーダでデコードされて一度ビデオメモリに記録される。そして、ビデオメモリには複数の画像が格納されるのが一般的である。
【０００３】
そして、図１１に示すように、ビデオメモリ１に格納された画像データａ，ｂの中から、表示したい画像（図１１の例では画像ａ）を選んで、その画像ａの表示させる領域を切り出して、これをテレビジョン受像機等の表示系２へ出力する。また、最近は、リモートコントローラ等による操作で、表示画面にメニューやその他静止画を同時に表示するようになってきている。その際、複数の画像を横並びにして表示する場合がある。
【０００４】
ビデオメモリに格納されている複数の画像を表示装置に横並びに表示する従来の処理としては、例えば、複数の画像を事前にビデオメモリ内で合成して一旦格納し、これを１枚の絵として読み出してこれを表示することが一般的であった。
【０００５】
特許文献１には、画像合成処理の一例についての開示がある。
【特許文献１】特開２００３−２８０６２６号公報
【発明の開示】
【発明が解決しようとする課題】
【０００６】
しかしながら、ビデオメモリなどを使用して合成するためには、ビデオメモリ内に合成用の領域を用意する必要がある等、画像処理構成が複雑化する問題があった。
【０００７】
本発明はかかる点に鑑みてなされたものであり、この種の画像合成処理が簡単な構成でできるようにすることを目的とする。
【課題を解決するための手段】
【０００８】
本発明の画像表示装置は、画像メモリに記憶された第１の画像データと第２の画像データを１ラインずつ読み出し、バッファ記憶装置の同一ライン上の異なる位置に配置させる読み出し手段を備えて、その読み出し手段により読み出された画像データに基づいて、第１の画像データによる画像と第２の画像データによる画像とを1画面中に並べて表示させるようにしたものである。
【０００９】
このようにしたことで、画像メモリに記憶された画像データを読み出す際の処理で、1画面中に２つの画像が並べて表示されるようになる。
【発明の効果】
【００１０】
本発明によると、画像メモリに記憶された画像データを読み出す際の処理で、1画面中に２つの画像が並べて表示されるので、読み出し用のラインメモリ等を使用した簡単な構成で、複数の画像を合成表示できるようになる。従って、画像データを表示する前に一旦画像メモリ上で合成する必要がなくなり、それだけメモリの使用量を減らせることが可能になる。
【００１１】
具体的には、例えば、１つのラインメモリを用意し、画像メモリからラインメモリを使用して表示系の１行分ずつのデータを読み出し、このラインメモリをバッファメモリとして使用することで、このラインメモリ上で横並びの２枚の画像を合成することができる。
【００１２】
あるいは、ラインメモリを２つ用意し、２枚の画像それぞれにこれらラインメモリを対応させ、これら２つのラインメモリからデータを読み出すタイミングを調整することで、２枚の画像データを横並びに表示させることが可能になる。
【００１３】
また、ラインメモリからデータを取り出すタイミングをゆっくりにすることで、画像の拡大表示が可能になる。
【００１４】
また、ラインメモリからデータを取り出すクロック周波数を表示系と分離し、データを取り出すクロック周波数に高い周波数を用いることにより、ラインメモリに書き込むデータ速度を速くし、必要なデータのみを選択してラインメモリに記憶することにより、画像の縮小を可能とする。
【発明を実施するための最良の形態】
【００１５】
以下、本発明の一実施の形態を、図１〜図１０を参照して説明する。
【００１６】
本例においては、テレビジョン受像機、各種ディスプレイなどの画像表示装置に適用したものであり、図１に示すように構成される。ここでは、２つの画像コンテンツ蓄積部（又は受信部）１１，１２を備えて、その２つの画像コンテンツ蓄積部１１，１２に蓄積された画像データ（又は受信した画像データ）を、１つの画面上に合成して表示させるようにしたものである。画像コンテンツ蓄積部１１，１２としては、例えば各種媒体を再生する再生手段、外部から画像データが入力される入力端子部、放送信号を受信するチューナなどがある。或いは、各種文字、図形などを表示させるメニュー画面などの、表示装置に予め用意された画像データであってもよい。
【００１７】
各画像コンテンツ蓄積部１１，１２に得られた画像データは、画像処理部１３に送られて、この画像処理部１３内の画像メモリであるビデオメモリ１４に一旦蓄積させる。この画像処理部１３では、例えば記録媒体に圧縮して保存されている画像データを取り出してきて、圧縮されているデジタル情報を解凍伸張し、１ピクセルずつのデータにしてビデオメモリ１４に一旦格納する。ビデオメモリ１４では、それぞれの画像データごとに、ビデオメモリ１４内の異なる領域に記憶させる。ビデオメモリ１４に記憶された画像データは、画像処理部１３内で読み出し処理を行う。この読み出し処理時には、バッファメモリとしてラインメモリを使用する。ここで、２つの画像コンテンツ蓄積部１１，１２から供給された画像を１画面中に同時に表示させる必要がある場合には、ラインメモリを使用した読み出し時に、読み出しと同時に２つの画像の合成処理を行い、その合成された画像データを、表示処理部１５に供給する。合成処理の詳細については後述する。
【００１８】
表示処理部１５では、この装置が備える表示手段１６で画像を表示させるための表示駆動処理を行う。表示手段１６としては、陰極線管、液晶表示パネルなどの各種表示手段が使用可能である。なお、ここでは表示手段１６が画像処理部１３などと一体の表示装置を想定しているが、画像処理部１３が出力する画像データ（映像信号）を、別体の表示装置に供給して表示させてもよい。
【００１９】
図２は、本例の画像処理部１３内で、ビデオメモリ１４から画像データを読み出す処理構成を示した図である。画像処理部１３内には、ビデオメモリ制御回路２１が設けてあり、このビデオメモリ制御回路２１に、表示装置が備える図示しない制御手段から供給される制御データにより、ビデオメモリ１４から画像データを読み出す処理が実行される。読み出す際には、データが入力した順に出力されるＦＩＦＯ（first-in first-out）メモリ２２をバッファメモリとして使用して、出力させる。ＦＩＦＯメモリ２２は、画像データの１水平ライン分の画素（ピクセル）数のデータを記憶できるラインメモリとしてある。なお、ＦＩＦＯメモリ２２は、読み出し処理状態により１個のメモリだけを使用する場合の他に、２個のＦＩＦＯメモリ２２ａ，２２ｂを使用する場合もある。
【００２０】
即ち、例えば図３（ａ）に示すクロックに同期して、ビデオメモリ１４に格納されたデータから表示系に表示したい領域を１水平ラインずつ取り出す。ここでのクロックは、表示系に使用するクロック周波数に同期したクロックである。
【００２１】
この図３（ａ）に示すクロックをもとに、図３（ｂ）に示す水平同期信号が生成される。１クロックは表示系における１ピクセルを表示する期間に相当するが、同期信号には１行（１ライン）の最初を示す同期信号（Hsync）があり、HsyncとHsyncの間に１行あたりのピクセル数分のクロック数が入る。
【００２２】
これらの表示系のクロック周波数や１ラインあたりのピクセル数は規格で定められている。例えば、ＨＤと呼ばれる画像の代表例では、実際の表示画像サイズは、１９２０ｘ１０８０であるが、横１９２０ピクセルにさらに、ブランキングと呼ばれる領域が追加され、インターレースの場合、クロック周波数は、７４．２５MHzで、１行あたりの総ピクセル数（クロック数）は、２２００となる。縦は、１０８０にブランキング領域が追加されて、１１２５となる。また、ＳＤと呼ばれる画像の代表例としては、表示画像は７２０ｘ４８０であるが、インターレースの場合、クロック周波数は１３．５MHzであり、１ラインあたりの総ピクセル数（クロック数）は８５８で、縦方向は５２５となる。
【００２３】
次に、このように構成される場合に、ビデオメモリ１４から読み出した２つの画像データを、１画面中に合成表示させる具体的な処理の例（実施例１〜実施例４）を、図４から図７を参照して順に説明する。
【００２４】
・実施例１
この例では、図４に示すように、ＦＩＦＯメモリ２２を１つ用意し、このＦＩＦＯメモリ２２の出力を表示処理部１５に送って、表示手段１６に表示させる。なお、以下の説明では、これら表示処理部１５と表示手段１６を、単に表示系１５，１６と称する。ビデオメモリ１４をコントロールするビデオメモリ制御回路は、ビデオメモリ１４に対し、データ取り出し制御信号を与える。このデータ取り出し制御信号は、ビデオメモリ１４のどこからデータを取り出すか、また、どれだけのデータを取り出すかを指定する。
【００２５】
ここでは、ビデオメモリ１４内に蓄積された２つの画像データ（領域１４ａに格納された画像１のデータと領域１４ｂに格納された画像２のデータ）の中から、指定されただけの量のデータをＦＩＦＯメモリ２２にためる。この例では、ＦＩＦＯメモリ２２の最大データ量を、表示系１５，１６の１水平ラインのすべてのピクセル数に相当するメモリ量だけ蓄えられるようにしておく。ＦＩＦＯメモリ２２に蓄えられるデータ量は、例えば、表示系がＳＤサイズの場合は、８５８ピクセルを蓄えられるデータ量、ＨＤサイズであれば、２２００ピクセル蓄えられるデータ量とする。
【００２６】
図４には、ＦＩＦＯメモリ２２に２つの画像データが１ラインずつ蓄えられた状態を示している。図４に示した１ラインの内で、先頭の区間ｄ１１は表示系には何も表示されないが、この分のデータもＦＩＦＯメモリ２２には、例えば黒のデータとして格納する。そして、次の区間ｄ１２に相当するデータを、ビデオメモリ１４に要求し、画像１の１ライン分のデータをＦＩＦＯメモリ２２に格納する。このときには、必要により拡大処理又は縮小処理を行う。この拡大処理や縮小処理の詳細については後述する。
【００２７】
次に区間ｄ１３に相当するデータは表示系には何も出力されない区間であるが、ＦＩＦＯメモリ２２には、例えば黒のデータとして格納する。そして、区間ｄ１４に関しては、ビデオメモリ１４に要求して、画像２のデータをＦＩＦＯメモリ２２に格納する。そして、最後に区間ｄ１５に相当するデータは，表示系には何も出力されない区間であるので、この区間には例えば黒を格納し、１水平ラインに相当する全データをＦＩＦＯメモリ２２に格納する。
【００２８】
ＦＩＦＯメモリ２２から取り出すときには、表示系１５，１６のクロックで１クロック毎に１ピクセル分のデータを取り出し、これを表示する。このようにすることで、例えばこのときＦＩＦＯメモリ２２に格納したラインが、図４の表示系に示した走査線Ａであるとすると、その走査線Ａは図４に示すように表示され、ビデオメモリ１４内に蓄積された２つの画像データによる画像1と画像２とが、横並びで画面上に同時に表示されるようになる。
【００２９】
・実施例２
この例では、図５に示すように、ＦＩＦＯメモリ２２を１つ用意し、このＦＩＦＯメモリ２２の出力を表示処理部１５に送って、表示手段１６に表示させる。この例では、画像データをＦＩＦＯメモリ２２の先頭からつめて蓄積させるようにした。ＦＩＦＯメモリ２２に蓄えられるデータ量は、１水平ラインに表示する画像の最大のピクセル数とする。例えば、表示系がＳＤサイズの場合は、７２０ピクセルを蓄えられるデータ量、ＨＤサイズであれば、１９２０ピクセル蓄えられるデータ量とする。それぞれ８５８、２２００ピクセル分（即ち１水平ラインのすべてのピクセル数）にする必要はない。
【００３０】
図５に示すように、表示系１５，１６で表示処理している走査線が走査線Ａの直前の走査線であるとき、走査線ＡのデータをＦＩＦＯメモリ２２に蓄えるよう、要求する。この際、図５でＦＩＦＯメモリ２２には実際に表示されるデータのみが蓄えられる。つまり、ビデオメモリ１４に対して、まず、画像１の１ラインのデータを要求する。すると、ＦＩＦＯメモリ２２の最初の区間ｄ１２に画像１のデータが格納される（図５の区間ｄ１２に格納されるデータと図４の区間ｄ１２に格納されるデータは同じ）。次に、ビデオメモリ１４に対して、画像２のデータを要求する。すると、ＦＩＦＯメモリ２２の区間ｄ１４に画像２のデータが格納される（図５の区間ｄ１４に格納されるデータと図４の区間ｄ１４に格納されるデータは同じ）。
【００３１】
また、この場合には、ビデオメモリ制御回路２１の制御データ２１ａとして、ＦＩＦＯメモリ２２に格納された画像１、画像２のデータをどのタイミングで出力するのかを表す、表示開始位置、表示停止位置を示す制御データを図５に示すように用意する。この制御データは、例えば制御データ用のメモリ（図示せず）に記憶させておく。
【００３２】
そして、表示系１５，１６で表示処理する走査線が次のラインである走査線Ａになった際、この表示開始位置、表示終了位置のデータをもとに、そのタイミングでＦＩＦＯメモリ２２から表示系１５，１６へデータの読み出しが行われる。このとき、ＦＩＦＯメモリ２２からのデータの読み出しは走査線が各ラインの頭に来た際、そこから表示系のクロックを数えることで、開始位置、終了位置を知ることができる。このようにすることで、図５に示すように表示され、ビデオメモリ１４内に蓄積された２つの画像データによる画像1と画像２とが、横並びで画面上に同時に表示されるようになる。
【００３３】
・実施例３
この例では、図６に示すように、ＦＩＦＯメモリとして、ＦＩＦＯメモリ２２ａとＦＩＦＯメモリ２２ｂの２つ用意し、この２つのＦＩＦＯメモリ２２ａ，２２ｂの出力を表示処理部１５に送って、表示手段１６に表示させる。ＦＩＦＯメモリ２２ａは画像１を担当し、ＦＩＦＯメモリ２２ｂは画像２を担当し、それぞれ１ラインに表示する最大のピクセル数だけ蓄えられるようにする。例えば、表示系がＳＤサイズの場合は７２０ピクセル、ＨＤサイズの場合は１９２０ピクセルである。それぞれのＦＩＦＯメモリでは、画像データをＦＩＦＯメモリの先頭からつめて蓄積させるようにした。
【００３４】
図６に示すように、表示系１５，１６で表示処理している走査線が走査線Ａの直前の走査線であるとき、走査線Ａのデータを各ＦＩＦＯメモリ２２ａ，２２ｂに蓄えるよう、要求する。この場合、ビデオメモリ１４からのデータ取り出し制御信号は、ＦＩＦＯメモリ２２ａ用とＦＩＦＯメモリ２２ｂ用の２つ用意する。
【００３５】
そして、ＦＩＦＯメモリ２２ａ用のデータ取り出し制御信号で、画像１のデータの１ライン分を要求し、ＦＩＦＯメモリ２２ｂ用のデータ取り出し制御信号で、画像２のデータの１ライン分を要求する。各ＦＩＦＯメモリ２２ａ，２２ｂに蓄えられたデータの取り出すために、画像１、画像２のデータをどのタイミングで出力するのかを表す、表示開始位置、表示停止位置を示す制御データを、図６に示すように各メモリ毎に用意し、これらの表示開始位置、表示終了位置の制御データをもとに各ＦＩＦＯメモリ２２ａ，２２ｂからデータを読み出し、表示系１５，１６へ出力する。この制御データは、例えば制御データ用のメモリ（図示せず）に記憶させておく。このようにすることで、図６に示すように表示され、ビデオメモリ１４内に蓄積された２つの画像データによる画像1と画像２とが、横並びで画面上に同時に表示されるようになる。
【００３６】
・実施例４
この例では、図５において、画像データからデータを取り出して、ＦＩＦＯメモリに記憶する際、画像データからデータを取り出すタイミングを２クロックに１回ずつ取り出すようにすると、２倍に拡大された画像が表示されることになる。この場合、ＦＩＦＯメモリ上には２ピクセル分ずつ、同じ画像データが載ることになる。
また、３クロックに２回取り出すようにすると、つまり、クロック毎に、画像データから新しいデータを、取り出す、取り出す、休み、と繰り返すことにより、１．５倍に拡大された画像が表示されることになる。
【００３７】
・実施例５
この例では、図７に示すように、ＦＩＦＯメモリ２２を１つ用意し、このＦＩＦＯメモリ２２の出力を表示処理部１５に送って、表示手段１６に表示させる。この例では、画像データをＦＩＦＯメモリ２２の先頭からつめて蓄積させるようにし、各画像１，画像２を拡大表示又は縮小表示するようにした。
【００３８】
図７において、画像データを取り出してから、ＦＩＦＯメモリ２２に書き込む間に、データ変換部２３を配置する。ここでは、拡大縮小の際のフィルタ処理や、必要なデータのみを選択してＦＩＦＯメモリ２２に送る処理をおこなう。
また、ＦＩＦＯメモリ２２は、書き込むときのクロック周波数と、読み出すときのクロック周波数を異なるものとすることができるようにしてある。このことにより、これらのクロック周波数を調整することにより、拡大処理又は縮小表示するようにしてある。
【００３９】
即ち、画像データを読み出してＦＩＦＯメモリ２２に書き込む際のクロック周波数をクロック１とし、ＦＩＦＯメモリ２２からデータを取り出して表示系１５，１６へ出力する際のクロックをクロック２とする。
クロック１とクロック２の周波数は同じだが、画像データを読み出す際に、毎クロック新しいデータを取り込むのではなく、数クロックに１回ずつ新しいデータを取り込むようにすると、拡大表示になる。
また、クロック２の周波数を下げて、表示系にデータを出力しても、拡大表示になる。逆に、クロック１の周波数を上げて、ＦＩＦＯメモリ２２に画像データを書き込む際、ピクセルを間引いて必要なデータのみを選択することで、縮小表示になる。
【００４０】
ここで、図８を参照して、拡大表示させる場合の例について説明する。図８は、３倍に拡大表示する場合の例である。図８（ａ）に示すように、画像データを取り出してＦＩＦＯメモリ２２に書き込む際、毎クロック新しい画像データを取り込むのではなく、３クロック間は同じデータをＦＩＦＯメモリ２２に書き込み、次の３クロック間は、次の画像データをＦＩＦＯメモリ２２に書き込むようにしていく。このようにして、図８（ｂ）に示すように、各ピクセルのデータを３回ずつ繰り返し出力させて、水平方向に３倍に拡大させる。垂直方向については、図示しないが、例えば同一の水平ラインを複数回繰り返させることで、同様に拡大することができる。
【００４１】
図９は、１／２に縮小表示させる場合の例である。図９（ａ）に示すように、１ピクセル毎に画像データＰ１，Ｐ２，Ｐ３……がデータ変換部２３に供給されるとすると、データ変換部２３では、図９（ｂ）に示すように、隣接する２ピクセルのデータを平均化したデータとして、水平方向に１／２に縮小させる。例えば、ピクセルＰ１，Ｐ２のデータの平均値をとってピクセルＰａとし、このピクセルＰａのデータを出力させる。これを図９（ｂ）に示すようにデータを間引いた形で、ＦＩＦＯメモリ２２に書き込む。垂直方向については、図示しないが、例えば縮小率に応じて水平ラインを間引くことで、同様に縮小することができる。
【００４２】
図１０は、１／２に縮小表示させる場合の別の例である。図１０（ａ）に示すように、１ピクセル毎に画像データＰ１，Ｐ２，Ｐ３……がデータ変換部２３に供給されるとすると、データ変換部２３では、図１０（ｂ）に示すように、隣接する３ピクセルのデータを平均化したデータとする。この場合、平均をとるピクセルは、２ピクセルずつシフトさせていき、一部のピクセルが重複して平均加算されるようにする。即ち図１０に示すように、例えば縮小されて出力される最初のピクセルＰａ′は、原画像データのピクセルＰ１，Ｐ２，Ｐ３を加算して平均化したデータとし、次のピクセルＰｂ′は、原画像データのピクセルＰ３，Ｐ４，Ｐ５を加算して平均化したデータとし、ピクセルＰ３のデータが隣接ピクセルで重複使用されるようにする。このようにしても、縮小表示が可能である。
【００４３】
なお、図８、図９、図１０に示した拡大や縮小の処理は、ＦＩＦＯメモリ２２に画像データが入る前に、データ変換部２３に供給して行うようにしたが、ＦＩＦＯメモリ２２から出力させる際に、同様の処理を行うようにして、直接拡大又は縮小させるようにしてもよい。
【００４４】
また、ここまでの説明では、２枚の画像を横並びに表示させる場合の例について説明したが、３枚以上の画像を横並びに表示させる場合にも適用可能であることは勿論である。
【図面の簡単な説明】
【００４５】
【図１】本発明の一実施の形態による表示装置の全体構成例を示すブロック図である。
【図２】本発明の一実施の形態によるメモリ読み出し構成例を示した説明図である。
【図３】本発明の一実施の形態によるデータ構成例を示す波形図である。
【図４】本発明の一実施の形態による表示処理例（例１）を示した説明図である。
【図５】本発明の一実施の形態による表示処理例（例２）を示した説明図である。
【図６】本発明の一実施の形態による表示処理例（例３）を示した説明図である。
【図７】本発明の一実施の形態による表示処理例（例５）を示した説明図である。
【図８】本発明の一実施の形態による拡大時の処理例を示した説明図である。
【図９】本発明の一実施の形態による縮小時の処理例（例１）を示した説明図である。
【図１０】本発明の一実施の形態による縮小時の処理例（例２）を示した説明図である。
【図１１】従来の表示状態の一例を示した説明図である。
【符号の説明】
【００４６】
１１、１２…画像コンテンツ蓄積部、１３…画像処理部、１４…ビデオメモリ、１４ａ…第１の画像データ、１４ｂ…第２の画像データ、１５…表示処理部、１６…表示手段、２１…ビデオメモリ制御回路、２１ａ…ビデオメモリ制御回路の制御データ、２２，２２ａ，２２ｂ…ラインメモリ（ＦＩＦＯメモリ）、２３…データ変換部
【図１】
2005331674.tif 000003
【図２】
2005331674.tif 000004
【図３】
2005331674.tif 000005
【図４】
2005331674.tif 000006
【図５】
2005331674.tif 000007
【図６】
2005331674.tif 000008
【図７】
2005331674.tif 000009
【図８】
2005331674.tif 000010
【図９】
2005331674.tif 000011
【図１０】
2005331674.tif 000012
【図１１】
2005331674.tif 000013